(57)【要約】【課題】一連の複数コマの画像を簡単に撮影，再生できるデジタルカメラを提供する。【解決手段】撮影モード下で４コマ撮影モードボタン２０を押すと、４コマ撮影モードに移行する。スルー画を観察しながらシャッタボタン１５を押し下げる操作を４度、連続して行う。この後再び４コマ撮影モードボタン２０を押圧操作すると、４コマの画像ファイルの各ＥＸＩＦタグデータに４コマタグデータが付加され、メモリカードに記憶される。再生モード下で４コマ撮影モードボタン２０を押すと、メモリカード内に記憶されている画像ファイルの４コマタグデータが検索され、「４コマ−（１）−１」，「４コマ−（１）−２」，「４コマ−（１）−３」，「４コマ−（１）−４」を示す各４コマタグデータが検出されると、共通部分「４コマ−（１）」から第１グループの４コマ画像であると判別され、これらの画像ファイルの画像が一覧表示される。【選択図】        図５
2007053616.tif 000002
【特許請求の範囲】
【請求項１】
撮像手段で得られる画像をこの画像の付帯情報であるタグ情報とともに記憶媒体に記憶するデジタルカメラにおいて、
複数コマの画像を連続して撮影するとともに、前記複数コマの画像が同じグループに属することを示すグループ化情報を各画像のタグ情報に付与する複数コマ撮影モードと、
前記グループ化情報に基づいて前記複数コマの画像を表示装置の画面に一覧表示する複数コマ再生モードと
を設けたことを特徴とするデジタルカメラ。
【請求項２】
前記表示装置は、前記複数コマの画像を縦方向に並列して一覧表示することを特徴とする請求項１記載のデジタルカメラ。
【請求項３】
前記複数の画像は、１回のレリーズ操作によって連続撮影されることを特徴とする請求項１または２記載のデジタルカメラ。
【請求項４】
前記複数コマ撮影モード下で１回操作する毎に異なる撮影画角に切り替える画角切替手段を設けたことを特徴とする請求項１ないし３いずれか記載のデジタルカメラ。
【請求項５】
前記複数コマ撮影モード下で操作することにより同じグループに共通する１つのテンプレートを選択し、このテンプレート情報を各画像のタグ情報に付与するテンプレート選択手段を設けたことを特徴とする請求項１ないし４いずれか記載のデジタルカメラ。
【請求項６】
撮像手段で得られる画像をこの画像の付帯情報であるタグ情報とともに記憶媒体に記憶するデジタルカメラにおいて、
前記画像を再生する際に、１コマの画像の一部を画像処理によりトリミングして拡大することにより互いに画角が異なる複数コマの画像を生成するとともに、前記複数コマの画像が同じグループに属することを示すグループ化情報を各画像のタグ情報に付与する画像処理部と、
前記グループ化情報に基づいて前記複数コマの画像を画面に一覧表示する表示装置と
を設けたことを特徴とするデジタルカメラ。
【発明の詳細な説明】
【技術分野】
【０００１】
本発明は、デジタルカメラに関し、更に詳しくは複数コマの画像を一覧表示するデジタルカメラに関するものである。
【背景技術】
【０００２】
一回のレリーズ操作で連続撮影するデジタルカメラが知られている（特許文献１）。このデジタルカメラは、撮影レンズを全域に渡って駆動し、コントラスト法により複数の焦点評価値のピークを検出し、それに対応するレンズ位置で連続して複数の撮影を行うことにより、主要被写体が複数異なる撮影位置にある場合であっても撮影者が希望する被写体に対してピントのあった撮影をすることができる。
【０００３】
また、同一被写体を連続的に複数回撮影し、得られた複数枚の画像に所定の合成処理を施して１枚の画像を作成する多重画像処理モードを備えたデジタルカメラが知られている（特許文献２）。このデジタルカメラは、結像光学系と撮像素子との間の光路中に配設された反射鏡が撮影状態の位置に変移した際に撮影を行い、これに引き続いて反射鏡が微小変位して、被写体像と撮像素子との相対位置が変化した状態で撮影を行う。これにより、被写体像と撮像素子との相対位置が異なる多重画像処理に適した複数画像を取得できる。
【特許文献１】特開２００３−１１４３７８号公報
【特許文献２】特開２００２−０７７６９６号公報
【発明の開示】
【発明が解決しようとする課題】
【０００４】
上記特許文献１，２は連続して複数枚の写真を簡単に撮影することを開示しているが、例えば４コマ漫画や組み写真のように、同じ場所やシチュエーションで話の流れが分かるように複数コマの画像を撮影し、再生して楽しむことができるデジタルカメラはこれまで開示されていない。
【０００５】
本発明は、一連の複数コマの画像を簡単に撮影，再生できるデジタルカメラを提供することを目的とする。
【課題を解決するための手段】
【０００６】
本発明のデジタルカメラは、撮像手段で得られる画像をこの画像の付帯情報であるタグ情報とともに記憶媒体に記憶するデジタルカメラにおいて、複数コマの画像を連続して撮影するとともに、前記複数コマの画像が同じグループに属することを示すグループ化情報を各画像のタグ情報に付与する複数コマ撮影モードと、前記グループ化情報に基づいて前記複数コマの画像を表示装置の画面に一覧表示する複数コマ再生モードとを設けたことを特徴とする。
【０００７】
また、前記表示装置は、前記複数コマの画像を縦方向に並列して一覧表示することを特徴とする。また、前記複数の画像は、１回のレリーズ操作によって連続撮影されることを特徴とする。また、前記複数コマ撮影モード下で１回操作する毎に異なる撮影画角に切り替える画角切替手段を設けたことを特徴とする。また、前記複数コマ撮影モード下で操作することにより同じグループに共通する１つのテンプレートを選択し、このテンプレート情報を各画像のタグ情報に付与するテンプレート選択手段を設けたことを特徴とする。
【０００８】
また、撮像手段で得られる画像をこの画像の付帯情報であるタグ情報とともに記憶媒体に記憶するデジタルカメラにおいて、前記画像を再生する際に、１コマの画像の一部を画像処理によりトリミングして拡大することにより互いに画角が異なる複数コマの画像を生成するとともに、前記複数コマの画像が同じグループに属することを示すグループ化情報を各画像のタグ情報に付与する画像処理部と、前記グループ化情報に基づいて前記複数コマの画像を画面に一覧表示する表示装置とを設けたことを特徴とする。
【発明の効果】
【０００９】
本発明のデジタルカメラによれば、複数コマの画像を連続して撮影するとともに複数コマの画像が同じグループに属することを示すグループ化情報を各画像のタグ情報に付与し、グループ化情報に基づいて複数コマの画像を表示装置の画面に一覧表示するので、一連の複数コマの画像を簡単に撮影，再生できる。
【００１０】
また、前記表示装置は、複数コマの画像を縦方向に並列して一覧表示するので、一連の画像を４コマ漫画のように再生表示できる。また、前記複数の画像は、１回のレリーズ操作によって連続撮影されるようにしてもよい。また、前記複数コマ撮影モード下で１回操作する毎に異なる撮影画角に切り替える画角切替手段を設けたので、きわめて簡単な操作で変化に富んだ画像を撮影することができる。また、同じグループに共通する１つのテンプレートを選択してこのテンプレート情報を各画像のタグ情報に付与するので、前記グループの画像を一覧表示する際にテンプレートを付加した状態で表示できる。
【００１１】
また、撮像手段で得られた画像を再生する際に、１コマの画像の一部を画像処理によりトリミングして拡大することにより互いに画角が異なる複数コマの画像を生成するとともに、前記複数コマの画像が同じグループに属することを示すグループ化情報を各画像のタグ情報に付与し、前記グループ化情報に基づいて複数コマの画像を一覧表示するので、一連の複数コマの画像を簡単に撮影，再生できる。
【発明を実施するための最良の形態】
【００１２】
本発明の実施形態の外観を正面側から示す図１において、デジタルカメラ１０の前面には撮影レンズ１１及びモード切替スイッチ１２が設けられ、上部には電源スイッチ１４及びシャッタボタン１５が設けられている。また、側面には、メモリカード１６をセットするスロット１７が設けられている。メモリカード１６としては、本実施形態ではｘＤピクチャーカード（商品名）を使用するが、その他、例えばスマートメディア（商品名）やコンパクトフラッシュ（登録商標）等でもよい。
【００１３】
また、図２に示すように、デジタルカメラ１０の背面には、４コマ撮影モードボタン２０，画角切替ボタン２１，メニュー（ＭＥＮＵ）ボタン２２，回転ローラ型の操作ダイヤル２３及び横方向に細長い長方形をした液晶パネル２４が設けられている。
【００１４】
前記モード切替スイッチ１２は、ノブ１２ａを上下方向にスライド移動させることにより、画像を撮影する撮影モードと、メモリカード１６に記憶された画像を再生する再生モードとを切り替える。撮影モードでは、液晶パネル２４は電子ビューファインダとして機能する。再生モードでは、液晶パネル２４にメモリカード１６から読み出された画像が再生表示される。
【００１５】
前記４コマ撮影モードボタン２０は、４コマ漫画のような一連の４コマ画像を撮影する際に押圧される。撮影モード下で４コマ撮影モードボタン２０を押圧操作すると、図３に示すように、液晶パネル２４の左方部に小さい３個のサブエリア２６，２７，２８が縦方向に積み重ねられて表示されるとともに、その右方のメインエリア２９にスルー画が表示される。この状態から、シャッタボタン１５を押し下げると、撮影された画像がまず最下層のサブエリア２８に表示される。
【００１６】
次に、シャッタボタン１５を押し下げると、最初に撮影された画像が中層のサブエリア２７に移動され、２回目に撮影された画像は最下層のサブエリア２８に表示される。次に、シャッタボタン１５を押し下げると、最初に撮影された画像が最上層のサブエリア２６に移動され、２回目に撮影された画像が中層のサブエリア２７に移動され、３回目に撮影された画像が最下方のサブエリア２８に表示される。
【００１７】
そして、次に、４回目のシャッタボタン１５を押し下げた後、再び４コマ撮影モードボタン２０を押圧操作する。これにより、４コマの各画像ファイルのＥＸＩＦタグデータに、これらが同じグループの画像であることを示すグループ化情報としての４コマタグデータを付加する。このことに関して、メモリカード１６のファイル構造を示す図４を参照して以下に説明する。
【００１８】
メモリカード１６の画像フォルダ３１には、撮影された画像データがＥＸＩＦフォーマットの画像ファイルＰＦ１〜ｎ（ｎは自然数）として記憶される。ＥＸＩＦフォーマットは、画像データ３２にＥＸＩＦタグデータ３３を付加したものである。画像データ３２は、例えば、画像データを圧縮して格納するＪＰＥＧ形式で記録される。
【００１９】
画像データ３２の形式としては、このＪＰＥＧの他に、画像データとこのデータのファイル内の格納位置などを示す情報を記録するタグとからなるＴＩＦＦ（Taged Imafe File Format ）形式を使用してもよい。さらに、ＥＸＩＦフォーマットには、インデックス表示に使用するサムネイル画像データ３４を含めることもできる。
【００２０】
ＥＸＩＦタグデータ３３には、露出値，焦点距離，ストロボ発光の有無など撮影条件に関する撮影条件データ３５と、４コマタグデータ３６とが含まれる。この４コマタグデータ３６は、４コマ撮影モードボタン２０の２回の押圧操作で挟まれた４コマの画像が一連の画像の一つであることを示すもので、１コマ目の画像データには、「４コマ−（１）−１」を示す４コマタグデータ３６が付与される。この「４コマ−（１）−１」は、４コマ撮影モードでの第１グループ内の１コマ目であることを表す。
【００２１】
また同様に、２コマ目の画像データには「４コマ−（１）−２」，３コマ目の画像データには「４コマ−（１）−３」，４コマ目の画像データには「４コマ−（１）−４」を示す４コマタグデータ３６がそれぞれ付与される。なお、画像ファイルＰＦ１〜ｎの形式は、４コマタグデータ３６を付与できれば、ＥＸＩＦフォーマットでなくてもよい。
【００２２】
また、前記４コマ撮影モードボタン２０は、再生モード下でこれを押圧操作すると、図５に示すように、前記４コマ撮影モードで撮影された４コマの画像ＰＩＣ１〜４が液晶パネル２４に左端から撮影順に並んで表示される。この状態からもう一度４コマ撮影モードボタン２０を押圧操作すると、図６に示すように、４コマ漫画のように、デジタルカメラ１０を縦位置にした状態で４コマの画像ＰＩＣ１〜４が縦方向に液晶パネル２４の上端から撮影順に下方に並んで表示される。すなわち、４コマ撮影モードボタン２０を押圧操作する度に図５に示す横表示と、図６に示す縦表示とを交互に繰り返す。
【００２３】
前記画角切替ボタン２１は、撮影モード下で押すと、ワンタッチで撮影画角を変更する。この画角変更には、周知のデジタルズームが用いられる。画角切替ボタン２１を押すと、１回目は２倍ズームの画角に、２回目は６倍ズームの画角に、３回目は１０倍ズームの画角に、それぞれ変更される。したがって、４コマ撮影モード下で画角切替ボタン２１を任意の回数押圧操作することにより、例えば同じ被写体であっても異なった印象の４コマ撮影を行うことができる。なお、画像内に顔がある場合には、後述する顔抽出部が画像データから顔部を抽出し、顔部を中心にズーム倍率が変動される。また、前記デジタルズームのズーム倍率は、一例であって、任意に決めることができる。
【００２４】
また、前記画角切替ボタン２１は、再生モード下で押すと、通常に撮影された画像の再生表示では、コマ送りボタンとして機能し、また４コマ撮影モードで撮影された画像の再生表示では、別グループの４コマ画像の表示に切り換わる。
【００２５】
前記メニューボタン２２は、撮影モード下で４コマ撮影モードボタン２０を押してから押すと、図７に示すように、液晶パネル２４にメニュー画面３８が表示される。このメニュー画面３８には、セットアップメニュー３９，テンプレート撮影メニュー４０，４コマ分割メニュー４１等が表示される。周知のジョグダイヤル（登録商標）と同様の機能を有する操作ダイヤル２３を回転操作して三角型のカーソル４２を移動させ、所望のテンプレート撮影メニュー４０に合わせてから、操作ダイヤル２３を押し込むと、図８に示すように、飾り枠等のテンプレートを選択するテンプレート選択メニュー画面４４が表示される。
【００２６】
テンプレート選択メニュー画面４４には、２個のテンプレートＡ，Ｂが表示されている。操作ダイヤル２３を回転操作してカーソル４７を上下方向に移動させると、テンプレートＡ，Ｂのいずれか一方に合わせることができる他、更に上方又は下方にカーソル４７を移動させるように操作ダイヤル２３を回転操作すると、テンプレートＡ，Ｂがスクロールされ、他のテンプレートＣ，Ｄ，・・・を表示させることができる。
【００２７】
所望のテンプレートＢにカーソル４７を合わせて操作ダイヤル２３を押し込むと、１コマ目に撮影された画像ファイルには、テンプレート選択情報が付加された「４コマ−（１）−１−テンプレートＢ」を示す４コマタグデータ３６が付与される。また、２コマ目に撮影された画像ファイルには、「４コマ−（１）−２−テンプレートＢ」を示す４コマタグデータ３６が付与される。以下同様であるから省略する。
【００２８】
このようにテンプレートを選択して４コマ撮影モードで撮影された４コマの画像は、再生モード下で４コマ撮影モードボタン２０を押すと、図９に示すように、テンプレートＢが付された状態で表示される。
【００２９】
また、撮影モードの通常撮影にて１枚の画像ＰＩＣ１１を撮影した後、再生モード下でメニューボタン２２を押してメニュー画面３８を液晶パネル２４に表示させ、４コマ分割メニュー４１を選択すると、図１０に示すように、１枚のオリジナルな画像ＰＩＣ１１から、デジタルズーム機能により、２倍ズーム，４倍ズーム，８倍ズームの各画角の画像ＰＩＣ１２，ＰＩＣ１３，ＰＩＣ１４が生成され、２〜４コマ目の画像としてオリジナルの画像ＰＩＣ１１から右方に並列表示される。なお、前記画像ＰＩＣ１２〜１４の生成は、後述する画像処理部６０が行い、前記画像ＰＩＣ１２〜１４が同じグループに属することを示すグループ化情報である４コマタグデータ３６が画像ＰＩＣ１２〜１４のＥＸＩＦタグデータ３３に付加される。
【００３０】
デジタルカメラ１０の電気的構成を示す図１１において、撮影部５０は、撮影レンズ１１，ＣＣＤ，Ａ／Ｄコンバータ等からなる。撮影部５０から出力される画像データは、バッファメモリ５１に記憶される。ＣＰＵ５２は、データバス５３を介して接続された装置各部を制御する。操作部５４には、モード切替スイッチ１２，電源スイッチ１４，シャッタボタン１５，４コマ撮影モードボタン２０，画角切替ボタン２１，メニューボタン２２，操作ダイヤル２３などが含まれる。
【００３１】
ＲＯＭ５６には、各種プログラム等が記憶されている。ＣＰＵ５２は、ＲＯＭ５６のプログラムをＲＡＭ５７にロードし、プログラムに記述された各種ステップを実行する。ＶＲＡＭ５８は、液晶パネル２４に各種画面や画像を出力するための画像出力手段である。
【００３２】
画像処理部６０は、主にデジタルズーム処理，テンプレート画像合成処理等を行う。デジタルズーム処理は、バッファメモリ５１から読み出した画像データの所定領域をトリミングして拡大する。テンプレート画像合成処理は、前記テンプレート選択メニュー画面４４で選択されたテンプレートと４コマの画像データとを合成する。
【００３３】
顔抽出部６１は、画像データから被写体の両眼を抽出することによって被写体の顔を抽出する。被写体の両眼を抽出するには、肌色の画素を多く含む領域から眼部の白色の画素と瞳と推定される色の画素を有する領域を選び出し、選び出された領域から、画像上における被写体の両眼の位置座標を求め、両眼の位置座標の中点を代表点として顔の位置が求められる。そして、顔抽出部６１は、抽出された被写体の両眼の位置座標から、その周囲の肌色の画素を多く含む領域を顔領域と見なす。
【００３４】
また、ＣＰＵ５２は、メディアコントローラ６２を制御してメモリカード１６へアクセスし、撮影した画像をメモリーカード１６に記録する際に、グループ化情報を書き込む。そして、メモリーカード１６から画像データを読み取る際に、このグループ化情報を基に、グループ化されている画像か否かを判定し、グループ化されている場合には、そのグループ化情報を基に各種の処理を実行する。
【００３５】
次に、上記実施形態の作用について説明する。まず、電源スイッチ１４を操作してデジタルカメラ１０の電源をオンにする。次に、モード切替スイッチ１２を撮影モードにセットする。図１２のフローチャートに示すように、そのままシャッタボタン１５を押し下げると（ｓｔ１）、通常の撮影が行われるが（ｓｔ２）、４コマ撮影モードボタン２０を押すと、４コマ撮影モードに移行して、図３に示すように、液晶パネル２４の画面が４コマ撮影表示モードに切り替わる。
【００３６】
メインエリア２９に表示されるスルー画を観察しながらシャッタボタン１５を押し下げる操作を４度、連続して行う（ｓｔ３）。１度目の押下操作で撮影された画像がサブエリア２８に表示される。２度目の押下操作により、１度目に撮影された画像がサブエリア２７へ移動して２度目の撮影画像がサブエリア２８に表示される。また、３度目の押下操作により、１度目のに撮影画像がサブエリア２６に移動すると同時に２度目の撮影画像がサブエリア２７に移動し、３度目の撮影画像がサブエリア２８に表示される。
【００３７】
そして、４度目にシャッタボタン１５を押し下げた後、再び４コマ撮影モードボタン２０を押圧操作すると（ｓｔ４）、４コマの画像ファイルは、各ＥＸＩＦタグデータ３３に４コマタグデータ３６が付加され（ｓｔ５）、メモリカード１６に記憶される（ｓｔ６）。また、４コマ撮影モードが終了し、液晶パネル２４の画面が４コマ撮影表示モードから全面がスルー画を表示する通常表示モードに切り替わる。
【００３８】
なお、４コマ撮影モード下で、画角切替ボタン２１を押すと、ワンタッチで撮影画角を変更できる。画像内に顔がある場合には、顔抽出部６１がスルー画の画像データから顔部を抽出し、顔部を中心にズーム倍率が変動される。また、４コマ撮影モード下で、メニューボタン２２を押して液晶パネル２４にメニュー画面３８を表示し、テンプレート撮影メニュー４０を選択すれば、所望のテンプレートを４コマ画像に合成することができる。
【００３９】
モード切替スイッチ１２のノブ１２ａを操作して撮影モードから再生モードに切り替える。通常の再生モードでは、メモリカード１６に記憶されている画像が１コマずつ再生され、操作ダイヤル２３を回転操作することによりコマ送りされる。
【００４０】
前記通常の再生モード下で４コマ撮影モードボタン２０を押すと、メモリカード内に記憶されている各画像ファイルの４コマタグデータ３６が検索される。「４コマ−（１）−１」，「４コマ−（１）−２」，「４コマ−（１）−３」，「４コマ−（１）−４」を示す各４コマタグデータ３６が検出されると、共通部分「４コマ−（１）」から第１グループの４コマ画像であると判別され、これらの画像ファイルの画像が、図５に示すように、一覧表示される。
【００４１】
この表示状態から４コマ撮影モードボタン２０を押すと、図６に示すように、各画像の向きが９０度変換され、縦表示に切り替わる。また、画角切替ボタン２１を押すと、４コマ撮影された画像の別のグループに切り替わる。また、テンプレートを選択して撮影された４コマ画像は、図９に示すように、再生時にテンプレートが合成された状態で表示される。
【００４２】
このように撮影・表示された４コマの画像は、４コマ漫画や組み写真のように話の流れが分かりやすく、仲のよい仲間や家族がお互いに撮影しあったり、撮影された画像をみんなで見て楽しむのに好適である。
【００４３】
以上説明した実施形態では、４コマ撮影モード下で撮影された４コマの画像を細長い液晶パネルに一直線上に並列して表示したが、本発明はこれに限定されることなく、図１３に示すように、デジタルカメラ６６に設けられたスクエア状の液晶パネル６７に４コマの画像ＰＩＣ２１〜２４を表示してもよい。また、この場合、前記操作ダイヤル２３の代わりに十字型の汎用キー６８とするのがよい。
【００４４】
また、上記実施形態では、１グループのコマ数を４コマとしたが、本発明はこれに限定されることなく、例えば８コマとしてもよい。この８コマの画像を再生表示するには、上記実施形態と同様に、再生モード下で４コマ撮影モードボタン２０を押す。まず、図５に示すように、最初に撮影された４コマが一覧表示される。この状態から、操作ダイヤル２３を回転操作すると、コマ送りされて次の５〜８コマの画像が表示される。
【００４５】
また、上記実施形態では、４コマ撮影モードは、シャッタボタンを１回押し下げる度に１コマの画像が撮影されるものであったが、本発明はこれに限定されることなく、１回のシャッタボタンの押下で４コマ以上が連続して撮影される（連写される）ようにしてもよい。
【００４６】
この場合、各画像ファイルには、例えば連写１枚目の画像に対して「４コマ−（１）−１」，連写２枚目の画像に対して「４コマ−（１）−２」，連写３枚目の画像に対して「４コマ−（１）−３」，・・・，連写６枚目の画像に対して「４コマ−（１）−６」の４コマタグデータが付与される。
【００４７】
そして、このように連写された画像を再生表示するには、上記実施形態と同様に、再生モード下で４コマ撮影モードボタン２０を押す。すると、まず、図５に示すように、最初に撮影された４コマが一覧表示される。この状態から、操作ダイヤル２３を回転操作すると、コマ送りされて連写５枚目，６枚目の画像が表示される。
【００４８】
また、上記実施形態では、撮影画角をデジタルズーム機能を用いて切り替えるようにしたが、本発明はこれに限定されることなく、図１４に示すように、デジタルカメラ７０の前面にターレット状のレンズ鏡筒７１を設け、互いに異なる焦点距離を有する４個のレンズ７２〜７５を回転させて撮影画角を切り替えるようにしてもよい。この場合、画角切替ボタンを押す度にレンズ鏡筒７１が回転し、例えば１回目はワイドレンズ７２，２回目は超ワイドレンズ７３，３回目は魚眼レンズ７４に切り替わる。なお、画角切替ボタンを押さない場合には、通常レンズ７５で撮影される。
【００４９】
また、上記実施形態では、テンプレートの選択を撮影モード下で行ったが、本発明はこれに限定されることなく、再生モード下で行ってもよい。この場合には、各画像ファイルの４コマタグデータが、テンプレート選択情報を含む４コマタグデータによって上書きされる。
【図面の簡単な説明】
【００５０】
【図１】本発明のデジタルカメラの外観を正面側から示す斜視図である。
【図２】デジタルカメラの外観を背面側から示す平面図である。
【図３】４コマ撮影モードにおける液晶パネルの表示状態を示す説明図である。
【図４】画像ファイルの概略的な構成を示すブロック図である。
【図５】４コマ画像を液晶パネルに一覧表示した状態を示す説明図である。
【図６】４コマ画像を縦に一覧表示した状態を示す説明図である。
【図７】メニュー画面を示す説明図である。
【図８】テンプレート選択メニュー画面を示す説明図である。
【図９】テンプレートが画像合成された４コマ画像を液晶パネルに一覧表示した状態を示す説明図である。
【図１０】４コマ分割による４コマ画像を液晶パネルに一覧表示した状態を示す説明図である。
【図１１】デジタルカメラの電気的構成を示すブロック図である。
【図１２】撮影モードの主なシーケンスを示すフローチャートである。
【図１３】スクエアな液晶パネルを有するデジタルカメラの背面を示す説明図である。
【図１４】撮影レンズを切り替えるデジタルカメラの外観を示す斜視図である。
【符号の説明】
【００５１】
１０，６６，７０  デジタルカメラ
１６  メモリカード
２０  ４コマ撮影モードボタン
２１  画角切替ボタン
２２  メニューボタン
２３  操作ダイヤル
２４，６７  液晶パネル
２６〜２８  サブエリア
２９  メインエリア
３２  画像データ
３３  ＥＸＩＦタグデータ
３６  ４コマタグデータ
３８  メニュー画面
４０  テンプレート撮影メニュー
４１  ４コマ分割メニュー
４４  テンプレート選択メニュー画面
５０  撮影部
５２  ＣＰＵ
６０  画像処理部
６１  顔抽出部
７２  ワイドレンズ
７３  超ワイドレンズ
７４  魚眼レンズ
７５  通常レンズ
【図１】
2007053616.tif 000003
【図２】
2007053616.tif 000004
【図３】
2007053616.tif 000005
【図４】
2007053616.tif 000006
【図５】
2007053616.tif 000007
【図６】
2007053616.tif 000008
【図７】
2007053616.tif 000009
【図８】
2007053616.tif 000010
【図９】
2007053616.tif 000011
【図１０】
2007053616.tif 000012
【図１１】
2007053616.tif 000013
【図１２】
2007053616.tif 000014
【図１３】
2007053616.tif 000015
【図１４】
2007053616.tif 000016